(57)【要約】トランスポンダ手段によりオペレートされるマグネチックロック装置であり、ドア（４）の固定部（３）に取り付けた少なくとも電磁石手段（２）と、ドア（４）に取り付けた少なくともキーパ手段（５）とを有するマグネチックロック装置であり、キーパ手段（５）が、ドア（４）が閉じられた状態において、電磁石手段（２）に対向し、電磁石手段（２）が、電源が供給された状態において、キーパ手段（５）を磁力固定するマグネチックロック装置であって、電磁石手段（２）への電源供給を切り換えるコントロール手段（６）と、コントロール手段（６）とデータ接続したセンシング手段（９）であって、個々のオペレータに関連付けされた複数のトランスポンダ（１０）の近接を検知するようにしたセンシング手段（９）とを含み、コントロール手段（６）は、センシング手段（９）がトランスポンダ（１０）と互いに近接したことを検知したとき、電磁石手段（２）への電源供給を遮断するマグネチックロック装置を提供する。
2004527677.tif 000002
【特許請求の範囲】
【請求項１】
トランスポンダ手段によりオペレートされるマグネチックロック装置であり、ドア（４）の固定部（３）に取り付けた少なくとも電磁石手段（２）と、前記ドア（４）に取り付けた少なくともキーパ手段（５）とを有するマグネチックロック装置であり、前記キーパ手段（５）が、前記ドア（４）が閉じられた状態において、前記電磁石手段（２）に対向し、前記電磁石手段（２）が、電源が供給された状態において、前記キーパ手段（５）を磁力固定するマグネチックロック装置であって、
前記電磁石手段（２）への電源供給を切り換えるコントロール手段（６）と、
前記コントロール手段（６）とデータ接続したセンシング手段（９）であって、個々のオペレータに関連付けされた複数のトランスポンダ（１０）の近接を検知するようにしたセンシング手段（９）と
を含み、
前記コントロール手段（６）は、前記センシング手段（９）が前記トランスポンダ（１０）と互いに近接したことを検知したとき、前記電磁石手段（２）への電源供給を遮断する
ことを特徴とするマグネチックロック装置。
【請求項２】
請求項１において、前記コントロール手段（６）は、デジタルタイプのものであって、少なくともマイクロプロセッサ（１２）とメモリ装置（１１）とを含むものであることを特徴とするマグネチックロック装置。
【請求項３】
請求項２において、トランスポンダ（１０）は、それぞれ、二義的に、個人識別コードに関連付けしてあり、この個人識別コードは、前記トランスポンダ（１０）が前記センシング手段（９）に近接した状態において、前記センシング手段（９）により検知され、前記メモリ（１１）から取り出された対応する承認コードとともに、前記コントロール手段（６）に伝送され、前記コントロール手段（６）により前記電磁石手段（２）への電源供給が遮断され、前記ドア（４）を開けることが許可されることを特徴とするマグネチックロック装置。
【請求項４】
請求項１において、前記コントロール手段（６）は、前記電磁石手段（２）のそれぞれと、本マグネチックロック装置（１）の電源手段（７）との間に、スイッチング手段（８）を有することを特徴とするマグネチックロック装置。
【請求項５】
請求項４において、前記電源手段（７）は、交流電源に接続した整流手段（２０）と、電池手段（２１）とを含むことを特徴とするマグネチックロック装置。
【請求項６】
請求項１において、固定部（３）と前記ドア（４）とに関連付けをした開センサ手段（２５）であって、前記ドア（４）の開状態を検知するため、前記コントロール手段（６）に接続した開センサ手段（２５）を含むことを特徴とするマグネチックロック装置。
【請求項７】
請求項１において、前記コントロール手段（６）は、ビーパと光源とよりなるアラーム手段（１３）を有すること特徴するマグネチックロック装置。
【請求項８】
請求項７において、 前記コントロール手段（６）は、前記アラーム手段（１３）をオペレートして、前記電磁石手段 （２）の電源供給割り込み状態に対応した信号を生成することを特徴とするマグネチックロック装置。
【請求項９】
請求項６又は７において、前記コントロール手段（６）は、前記アラーム手段（１３）をオペレートして、前記ドア（４）の開状態に対応した信号を生成することを特徴とするマグネチックロック装置。
【請求項１０】
請求項１において、前記コントロール手段（６）は、処理手段（１５）に接続するための接続ポート（１４）であって、センシング手段（９）に近接したトランスポンダ（１０）の少なくとも識別コードを、前記処理手段（１５）に伝送するための接続ポート（１４）であり、メモリ（１１）に書き込まれ及び／又は該メモリ（１１）から削除される承認コードを受信するための接続ポート（１４）を有することを特徴とするマグネチックロック装置。
【請求項１１】
請求項１０において、前記接続ポート（１４）は、Ethernet（登録商標）、ＵＳＢ、ＲＳ２３２、又は差動シリアル若しくはパラレルポートであることを特徴とするマグネチックロック装置。
【請求項１２】
請求項１において、前記コントロール手段（６）は、前記電磁石手段（２）が電源供給割り込み状態になったとき、前記ドア（４）を開けるための開ドア手段（２２）を、オペレートするためのコネクション（Ｕ）を含むことを特徴とするマグネチックロック装置。
【請求項１３】
請求項１ないし１２のいずれかにおいて、前記キーパ手段（５）は、調整可能な固定手段（２３）であってドア（４）に固定するための固定手段（２３）を有することを特徴とするマグネチックロック装置。
【請求項１４】
請求項１ないし１３のいずれかにおいて、少なくとも前記コントロール手段 （６）と、 前記センシング手段（９）と、少なくとも前記電磁石手段（２）は、第１コンテナ（３０）内に設けたことを特徴とするマグネチックロック装置。
【請求項１５】
請求項１ないし１４のいずれかにおいて、前記キーパ手段（５）は、第２コンテナ（３１）内に設けたことを特徴とするマグネチックロック装置。
【請求項１６】
請求項１ないし１５のいずれかにおいて、前記電磁石手段（２）は、略Ｅ字形のマグネチックコア（２６）と、マグネチックコア（２６）の中央脚部に捲回させた電気巻線（２７）とを有することを特徴とするマグネチックロック装置。
【請求項１７】
請求項１６において、前記電気巻線（２７）と前記マグネチックとは、合成樹脂層で被覆したことを特徴とするマグネチックロック装置。
【請求項１８】
請求項１ないし１７のいずれかにおいて、前記センシング手段（９）に少なくとも接続した複数のコントロール手段（６）と、少なくともキーパ手段（５）を有するドア（４）に関連付けをした電磁石手段（２）とを含むことを特徴とするマグネチックロック装置。
【発明の詳細な説明】
【技術分野】
【０００１】
本発明は、ドア等を閉める装置に関する。
【０００２】
本発明は、ドア、窓口、ポートホール（porthole）であり、一般に、部屋、コンテナ、容器（cells）、フリーザ、生物保育器（biological incubators）その他のものであって、特に、研究所、病院、化学及び製薬産業のためのものにアクセスするための手段であり、さらに一般には、出入りを許可し及び／又は制御する必要がある場所のオープンを制御するためのトランスポンダ手段によりオペレートされるマグネチックロック装置に関する。
【背景技術】
【０００３】
ドアを閉める装置であって、電磁手段、例えば電磁石がドアフレームの固定部に接続され、しかも、磁性材から製造された要素であってドアに固定されたキーパと呼ばれるものを、磁力固定するため、パワーを供給するようにした装置が知られている。
【０００４】
この電磁石に供給されるパワーは、整流され、スイッチングオン及びオフされ、メカニカルなキーロックによるか、又はロック若しくはバッジ電子ロックを組み合わせたものにより、ローカル又はリモートに、コントロールされている。
【発明の開示】
【発明が解決しようとする課題】
【０００５】
これら装置の主な問題点は、部屋のドアが閉まっているとき、オペレータがその部屋に入るためには、当該装置をロックしたりロック解除したりするためのロックを手で操作しなければならないため、そのドアを通って部屋に入るまでに時間がかかり、その間、危険にさらされる恐れもある。
【０００６】
本発明の第１の目的は、マグネチックロック装置を有するドアの通り抜けを承認されたオペレータのウエイト・アンド・オペレーション（waits and operations）を回避するトランスポンダによりオペレートされたマグネチックロック装置を提供することにある。
【０００７】
本発明の第２の目的は、マグネチックロック装置をオペレートするヒューマンオペレータを識別する装置を提供することにある。
【０００８】
本発明の第３の目的は、本装置のオペレーションを複数の入力の状態に依存させることができ、しかも当該ドアに関連付けをした手段をさらにコントロールするために設けた装置を提供することにある。
【０００９】
本発明の第４の目的は、メモリ手段との接続（connection）を有する装置を提供することにある。
【００１０】
本発明の第５の目的は、製造が簡単で低コストであり、簡単で安全に使用できる装置を提供することにある。
【００１１】
上記の目的は、特許請求の範囲の内容に従って達成することができる。
【発明を実施するための最良の形態】
【００１２】
図１及び図２を説明する。参照番号１は、本発明の目的たるトランスポンダ手段によりオペレートされるマグネチックロック装置を示す。
【００１３】
マグネチックロック装置１はドア４に関連付けしてあり、このドア４は、例えば、フレーム又は建築材からなる固定部３を有する。
【００１４】
ドア４か、又はポートホール若しくは窓口を抜けると、複数の部屋にアクセスすることができ、ヒューマンスタッフ又は車両その他の手段からなる予め定めたオペレータにリザーブされている容器又はコンテナにアクセスすることができる。
【００１５】
マグネチックロック装置１は電磁石手段２を有するが、この電磁石手段２は、略Ｅ字形状のマグネチックコア２６がキーパ手段５に向けて取り付けてあり、このマグネチックコア２６の中央脚部には、電気巻線２７が捲回してある。
【００１６】
これら電気巻線２７とマグネチックコア２６は、合成樹脂の保護層で被覆され、保護されている。
【００１７】
マグネチックコア２６は、固定部３に設けてあり、ドア４が閉まっている状態では、キーパ手段５と対向する。このキーパ手段５は、鉄磁性材の剛体からなるもので、ドア４の蝶番を取り付けた端部と反対側の端部に、調整可能な固定手段２３を介して、固定してある。電磁石２とキーパ手段５との最小間隔は、調整可能な固定手段２３により調整可能である。
【００１８】
電磁石手段２の電気巻線２７への電気信号の供給は、コントロール手段６により切り換えられる。
【００１９】
コントロール手段６は、センシング手段９との間でデータをやりとりすることができ、センシング手段９は、電磁信号を複数のトランスポンダ１０に送信するためのアンテナであって、これら複数のトランスポンダ１０からの応答を受信するためのアンテナを有する。トランスポンダ１０がセンシング手段９に近接した状態において、センシング手段９は応答を検知する。ここにいう近接状態とは、例えば、保育器又はフリーザカウンタにあっては、その間隔が数センチになった状態であり、例えば、部屋のドアにあっては、その間隔が数メートルになった状態であるから、センシング手段９のレシーバの感度は、調整して変化させる。
【００２０】
トランスポンダ１０は、受動タイプのものであるが、能動タイプのものにすることができる。トランスポンダ１０が能動タイプのものである場合には、センシング手段９のアンテナのみが、この能動タイプのトランスポンダ１０により送信された信号を受信する。複数のトランスポンダ１０により送信された応答又は信号は、各トランスポンダの識別コードを有する。複数のトランスポンダ１０と識別コードとの相関関係は、二義的であるが、ドア４を開けるのを承認されたオペレータは、個人的に、個別のトランスポンダ１０を有するから、オペレーティングと識別コードとの間には、二義的な対応関係が確立される。
【００２１】
センシング手段９はこの識別コードを検出して、コントロール手段６に伝送する。このコントロール手段６は、デジタル信号を処理するものであり、少なくとも１つのマイクロプロセッサ１２とメモリ装置１１とを有する。メモリ装置１１には、承認されたオペレータの識別コードに対応する承認コードがストアされている。センシング手段９が識別コードをコントロール手段６に送信すると、マイクロプロセッサ１２は、メモリ装置１１の例えば不揮発性メモリにストアされているプログラムを実行して、前記識別コードと承認コードとの可能な対応関係をチェックする。仮に前記対応関係がベリファイされた場合には、コントロール手段６は、電磁石手段２への電流供給を遮断して、キーパ手段５を解放し、これにより、ドア４が開けられる。マグネチックロック装置１は、開センサ手段２５を有し、この開センサ手段２５は、リードといわれるような磁性体接片であって、固定部３に設けた磁性体接片を有するとともに、この磁性体接片に関連付けをした磁石であって、ドア４に固定した磁石を有し、これら磁性体接片と磁石は、ドア４が閉まっている状態では、対向するようになっている。この磁性体接片は、コントロール手段６に接続してあり、コントロール手段６は、この磁性体接片が磁石と対向しない状態になったとき、ドア４が開いたことを検知する。
【００２２】
マグネチックロック装置１は電源手段７を有し、この電源手段７には、主交流（ＡＣ）電源に接続した整流手段２０と、コントロール手段６及び電磁石手段２にエネルギーを供給するための電気エネルギーバッテリ２１とが含まれる。電気エネルギーバッテリ２１は電源が供給されなくなったときにも、エネルギーを供給する。
【００２３】
コントロール手段６は、電磁石手段２を電源手段７に接続するため、例えば電磁リレーよりなるスイッチ手段８か、又はバイポーラトランジスタで構成したスイッチ手段８を有し、これにより、電磁石手段２の巻線２７に電源を供給したり遮断したりする。
【００２４】
コントロール手段６は、電磁石手段２の電源遮断状態に応答して信号を送るため、例えばビーパ又は光でアラームするアラーム手段１３を有する。
【００２５】
コントロール手段６は、処理手段１５、例えば、リモートのパーソナルコンピュータに接続するための接続ポート１であって、センシング手段９が近接状態にあり、電磁石手段５に電源が供給されている状態において、トランスポンダ１０の識別コードを伝送するための接続ポート１あり、メモリ１１に書き込まれメモリ１１から読み出される承認コードを受け取るための接続ポート１１を有する。
【００２６】
接続ポート１４は、例えばEthernet（登録商標）タイプのものか、ＵＳＢ（Universal Serial Bus）標準のシリアルアドレス可能なものか、ＵＳＢか、シリアルＲＳ２３２タイプか、又は差動シリアル若しくはパラレルタイプのものとすることができる。
【００２７】
コントロール手段６は、開ドア手段２２をオペレートするためのＵコネクションを有することができる。このＵコネクションは、例えば電気リニアアクチュエータを含んでおり、この電気リニアアクチュエータの一方の端部は固定部３に接続してあり、他方の端部はドア４を開閉するためドア４に接続してある。
【００２８】
コントロール手段６と、センシング手段９と、電磁石手段２とは、第１コンテナ３０内に設けてあり、キーパ手段５は、調整可能な固定手段２３により、第２コンテナ３１内に固定してある。
【００２９】
第１コンテナ３０と第２コンテナ３１は、例えば、射出ＡＢＳ製であり、シールド機能を有する。
【００３０】
マグネチックロック装置１は複数のコントロール手段６を含み、これら複数のコントロール手段６は、それぞれ、各センシング手段９に接続され、少なくともキーパ手段５を有する個々のドア４に関連付けをした電磁石２に接続されている。
【００３１】
コードに対応する識別コードに関連付けした少なくともトランスポンダ１０が、コントロール手段６の近傍にあるとき、コントロール手段６は電磁石手段２への電源供給を遮断し、ドア４を開けることを許可するか、結局は、開ドア手段２２によりドア４を開けることができる。
【００３２】
処理手段１５は、電磁石手段２への近接状態と電磁石手段２への電源供給状態において、トランスポンダ１０の識別コードを、各イベントのスケジュールに関連付けをして記録する。そこで、ドア４か、又は当該装置に関連付けをしたドアを開けるか、又は開ける可能性がある。
【００３３】
異なるオペレータがドア４を開けるのを許可する承認コードを、処理手段１５により変更することができる。
【００３４】
本発明の主な利点は、オペレータを識別するように構成されたトランスポンダによりオペレートされるマグネチックロック装置を提供する点にあり、当該ドアから入ることを承認されたオペレータが、当該ドアを開けるのに、待たずに、また、なんら操作する必要がない点にある。
【００３５】
本発明の別の目的は、複数の入力の状態に依存してオペレートすることができる装置であって、当該ドアに関連付けされた他の手段を制御するために固定された装置であり、メモリ手段に接続された装置を提供することにある。
【００３６】
本発明のさらに別の目的は、製造が簡単でコストが安く、簡単に使用できて安全である装置を提供することにある。
【図面の簡単な説明】
【００３７】
【図１】ドアと関連付けをしたトランスポンダ手段によりオペレートされるマグネチックロック装置を示す図である。
【図２】図１の装置の部分平面図であり、一部強調するため他の部分を取り除いて示す図である。
【図１】
2004527677.tif 000003
【図２】
2004527677.tif 000004
【国際公開パンフレット】
2004527677.tif 000005
2004527677.tif 000006
2004527677.tif 000007
2004527677.tif 000008
2004527677.tif 000009
2004527677.tif 000010
2004527677.tif 000011
2004527677.tif 000012
2004527677.tif 000013
2004527677.tif 000014
2004527677.tif 000015
2004527677.tif 000016
【国際調査報告】
2004527677.tif 000017
2004527677.tif 000018